(57)【要約】  薬物送達デバイスへの取り付け用に構成された連結ボディを含む薬物送達デバイスに取り付け可能な薬用モジュール。第一の針は、連結ボディの第一の針ハブ内に保持され、そして第二の針は、連結ボディの第二の針ハブ内に固定される。連結ボディ内の凹部はリザーバを画成している。リザーバは、薬剤の少なくとも一つの用量を含有し、そして第一の針と流体連通になるように構成される。連結ボディは更に、薬用モジュールが薬物送達デバイスに初めて連結された後、薬用モジュールを薬物送達デバイスに再連結することを阻止するロックアウト機能を含む。
2013542796.tif 000002
【特許請求の範囲】
【請求項１】
薬物送達デバイス（１２）に取り付け可能な薬用モジュール（１０、３０２、４０３、５００）であって、該薬用モジュール（１０、３０２、４０３、５００）は、
該薬物送達デバイス（１２）への取り付け用に構成された連結ボディ（２４）；
該連結ボディ（２４）の第一の針ハブ（３２）内に固定された第一の針（４０）；
上記連結ボディ（２４）の第二の針ハブ（３３）内に固定された第二の針（８０）；及び
少なくとも一回用量の薬剤（３８）を含有し、該第一の針（４０）と流体連通にあるように構成されるリザーバ（３６）を画成する上記連結ボディ（２４）内の凹部；
を含んでなり：
ここで、上記連結ボディ（２４）は更に、最初に上記薬用モジュール（１０、３０２、４０３、５００）が上記薬物送達デバイス（１２）に連結された後、該薬用モジュール（１０、３０２、４０３、５００）が該薬物送達デバイス（１２）に再連結されることを阻止するロックアウト機能（５６、５８）を含む、上記薬用モジュール（１０、３０２、４０３、５００）。
【請求項２】
前記連結ボディ（２４）に操作可能に連結される針ガード（９０）；及び
該連結ボディ（２４）と該針ガード（９０）の間に位置する付勢エレメント（７０）；を更に含む、請求項１に記載の薬用モジュール（１０、３０２、４０３、５００）。
【請求項３】
前記薬剤（３８）の用量が、前記薬用モジュール（１０、３０２、４０３、５００）で注射されたとき、前記針ガード（９０）は、前記付勢エレメント（７０）で作り出される力に抗して近位方向（１１０）に動く、請求項２に記載の薬用モジュール（１０、３０２、４０３、５００）。
【請求項４】
前記針ガード（９０）は、前記薬用モジュール（１０、３０２、４０３、５００）が前記薬物送達デバイス（１２）に連結されるまで、近位方向（１１０）に動くことをロックされる、請求項２又は請求項３に記載の薬用モジュール（１０、３０２、４０３、５００）。
【請求項５】
前記薬用モジュール（１０、３０２、４０３、５００）が前記薬物送達デバイス（１２）に取り付けられるとき、前記第一の針（４０）が薬物送達デバイスのリザーバを穿孔する、請求項１〜４のいずれか１項に記載の薬用モジュール（１０、３０２、４０３、５００）。
【請求項６】
前記ロックアウト機能は、ロッキングリング（５６）を含み、前記薬用モジュール（１０、３０２、４０３、５００）が前記薬物送達デバイス（１２）に再連結されることをロックアウトするように、該薬用モジュール（１０、３０２、４０３、５００）が該薬物送達デバイス（１２）に取り付けられた後、該ロッキングリング（５６）が回転する、請求項１〜５のいずれか１項に記載の薬用モジュール（１０、３０２、４０３、５００）。
【請求項７】
第二の針（８０）の近位端（８４）と流体連通にあるプライミング流体（５３）を含有するベローズ（５２）を更に含む、請求項１〜６のいずれか１項に記載の薬用モジュール（１０、３０２、４０３、５００）。
【請求項８】
前記ベローズ（５２）が、前記第一の針（４０）の遠位端（４４）と流体連通にある、請求項７に記載の薬用モジュール（１０、３０２、４０３、５００）。
【請求項９】
用量設定機構（１）を含む薬物送達デバイス（１２）、用量設定機構（１）に連結され、遠位端が、請求項１〜８のいずれか１項に記載に薬用モジュール（１０、３０２、４０３、５００）を取り付けるように構成される、リザーバホルダ（１４）；及び
請求項１〜８のいずれか１項に記載の薬用モジュール（１０、３０２、４０３、５００）；
を含んでなる薬物送達システムであって、
ここで、システムは、（ｉ）薬用モジュールの最初の使用を可能とし、（ｉｉ）薬用モジュールのその後の使用を可能とし（ここで、二回目の使用は、薬用モジュールが薬物送達デバイス（１２）から取り外される前に起こる）、そして（ｉｉｉ）一度除去された薬用モジュールのその後の使用を阻止するように構成された機械的ロジック機能（２００、５０８）を含む、上記薬物送達システム。
【請求項１０】
機械的ロジック機能（２００、５０８）が更に、第一の薬用モジュールの使用を可能にした後、第一の薬用モジュールと異なる第二の薬用モジュールのその後の使用を阻止するように構成される、請求項９に記載の薬物送達システム。
【請求項１１】
機械的ロジック機能（２００、５０８）が、（ｉ）固定のアラインメント機能（２０４）及び（ｉｉ）複数のコード化機能（２０６、２０８、２１０）を含む、請求項１０に記載の薬物送達システムであって；
ここで、薬用モジュールの対応する機械的ロジック機能（２０２、５０４）は、（ｉ）対応する固定のアラインメント機能（２１２）及び（ｉｉ）薬物送達デバイス（１２）の機械的ロジック機能（２００、５０８）の複数のコード化機能（２０６、２０８、２１０）の各々に対応する少なくとも一つの対応コード化機能（２１４、２１６）を含み、ここで、少なくとも一つの対応コード化機能（２１４．２１６）は、薬用モジュールのコア機構の外壁上に配置され；
ここで、薬物送達デバイス（１２）の機械的ロジック機能（２００、５０８）の複数のコード化機能（２０６、２０８、２１０）の相互作用及び対応するコード化機能（２１４、２１６）は、未使用から使用済みへ薬物送達デバイス（１２）の状態を変化させる働きをする、請求項１０に記載の薬物送達システム。
【請求項１２】
機械的ロジック機能の少なくとも一部は、薬物送達デバイス（１２）の一部である、請求項９〜１１のいずれか１項に記載の薬物送達システム。
【請求項１３】
請求項９〜１２のいずれか１項に記載の薬物送達デバイス（１２）。
【発明の詳細な説明】
【技術分野】
【０００１】
本特許出願は、単回用量設定機構及び単回投薬インターフェースのみを有するデバイスを用いて、個別のリザーバから少なくとも二つの薬物作用物質を送達する医療デバイス及び方法に関する。より具体的には、本出願は、二度目の薬用モジュールの薬物送達デバイスへの再連結を阻止するインターロック機能を含む薬用モジュールを対象にする。薬用モジュールは、注射工程の前に、デバイスをプライミングする選択肢を使用者に提供し得る。使用者により起動される単回送達手法は、第二の薬物作用物質の非使用者設定可能用量及び第一の薬物作用物質の変動可能設定用量を患者へ送達することを引き起こす。薬物作用物質（drug agents）は、二つ又はそれ以上のリザーバ、容器又は包装体で利用可能であり得て、それぞれは、独立の（単一薬物化合物）、又は事前混合された（共処方された複数の薬物化合物）薬物作用物質を含む。本発明の一つの態様は、特に、治療応答が、特定の対象患者グループに対して治療プロファイルの制御と規定を通して最適化できる。
【背景技術】
【０００２】
ある疾病状態は、一つ又はそれ以上の異なった薬剤用いた処置を必要とする。いくつかの薬物化合物は、最適治療用量を送達するために互いに特定な関係で送達する必要がある。本提案デバイス及び方法は、併用療法が望ましいが、限定されるものではないが、安定性、不十分な（compromised）治療効果及び毒性などの理由で単一製剤では可能でない場合に特に有利である。
【０００３】
例えば、幾つかの場合において、長時間作用型インスリン及びプログルカゴン遺伝子の転写産物から誘導されたグルカゴン様ペプチド−１（ＧＬＰ−１）で糖尿病を病む患者を処置することが有益であり得る。ＧＬＰ−１は体内で見つかり、消化管ホルモンなどの腸管Ｌ細胞より分泌される。ＧＬＰ−１は、糖尿病の可能性のある処置として、それ（及びその類似体）を徹底的な調査の主題にする幾つかの生理学的特性を保有している。
【発明の概要】
【発明が解決しようとする課題】
【０００４】
二つの活性薬剤、又は「作用物質(agents)」を同時に送達するとき、多くの潜在的な問題点が存在する。二つの活性作用物質は、製剤の長期間寿命中での保存の間、互いに相互作用するかもしれない。従って、活性成分を分離して保存し、そして、それらを送達の時点で、例えば、注射、針なし注射、ポンプ、又は吸入を組み合わせることは有益である。しかし、二つの作用物質を組み合わせる方法は、信頼性を持って、繰り返し、そして安全に実施するために使用者にとって簡単で、便利であることは必要である。
【０００５】
更なる問題は、組合せ治療を構成する各活性作用物質の定量性、及び／又は、割合は、各使用者にとって、又は治療の異なったステージで変化することが必要となるかもしれないことである。例えば、１つ又はそれ以上の活性作用物質は、「維持」用量まで患者に徐々に導入するために調節期間が必要となるかもしれない。更なる例は、一つの活性作用物質が、調整不可能な固定用量を必要とする場合、他方は、患者の症状又は肉体的条件に対応して変化することである。この問題は、これら事前混合された製剤が、医療専門家又は使用者により変更できない活性成分の固定比率を有するので、複数の活性作用物質の事前に混合された製剤は、適切でないかもしれないことを意味する。
【０００６】
更なる問題は、複数の薬物化合物の治療が必要となるところで発生する。何故ならば、一つより多くの薬物送達システムを用いなければならないことに、又は要求される用量の組合せの、必要で正確な計算を行うことに対処できない使用者がいるからである。これは、器用さ又は計算上に困難さを有する使用者にとって、特に、真実である。
【０００７】
他の問題は、使用者が、ある用量の組合せが送達された後、非殺菌針を再使用しようと試みるところで発生する。そのような非殺菌針の使用は、ある病気への感染に導くかもしれず、その結果、針の再使用を阻止する薬用モジュールの必要性が存在する。注射針が隠されていないか、又はカバーされていないある種の針アセンブリで以って、介護福祉士／医療従事者に対する不注意な針突き刺しをおこなう更なる問題が存在する。そういうわけで、また、露出した針の患者に対する不安又は恐怖症を高めるかもしれないある患者の針不安を低減化する一般的な必要性が存在する。
【０００８】
従って、使用者にとって実施するのが簡単で、安全であり、注射又は針に対する患者の不安感を低下させる傾向にある、単回注射又は送達工程における二つ又はそれ以上の薬剤の送達用のデバイス及び方法を提供する強い必要性が存在する。本出願は、単回送達手法中で、その時、患者に対して、組み合わせる、及び／又は、送達することのみの二つ又はそれ以上の活性薬物作用物質用の保存容器を個別に提供することで上記の問題点を解決する方法及びデバイスを開示する、
【０００９】
一つの薬剤の用量を設定することは、自動的に、第二の薬剤の用量（即ち、非使用者設定可能用量）を固定し、又は決定することになる。本出願はまた、一つ又は両方の薬剤の量を変化させる機会を与える。例えば、一つの流体の量は、注射デバイスの性質を変化させることにより変更可能である（例えば、使用者に変更可能な用量をダイヤル設定し、又はデバイスの「固定」用量を変更する）。第二の流体の量は、第二の活性作用物質の異なった体積及び／又は濃度を含む各々の変異体を有する包装体又はキットを含む様々な二次薬剤を製造することにより変更可能である。使用者又は医療専門家は、その結果、特別な処置レジームに対する最も適切な二次包装体若しくはシリーズ又は異なった包装体若しくはキットのシリーズの組合せを選択するであろう。
【００１０】
これら及びその他の利点は、本発明の次のより詳細な記載から明白になるであろう。
【課題を解決するための手段】
【００１１】
本出願は、単回薬物送達システム内で複数の薬物化合物の複雑な組合せを可能にするモジュール、システム及び方法を開示する。好ましくは、そのようなシステムは、針の再使用を阻止する機能を有し、そして、また、針恐怖症を低下させる機能を有し、一方、また、潜在的な不注意の針突き刺しを減少させる針ガードを含む。更に、そのようなシステム及びデバイスは、注射工程の前にデバイスをプライミングする選択肢を使用者に提供する。更に、そのようなシステム及びデバイスは、モジュールを二度薬物送達デバイスに再連結することを阻止するインターロックを提供する。
【００１２】
使用者は、一つの単回用量設定機構及び単回薬物投薬インターフェースを通して、複数の薬物化合物を設定し、投薬することができる。好ましくは、単回薬物投薬インターフェースは、その後、薬用モジュールの再使用（即ち、注射針の再挿入）を阻止するために、ロックされ得る。この単回用量設定器は、一つの薬剤の単回用量が設定され、そして単回薬物投薬インターフェースを通して投薬されるとき、個々の薬物化合物の所定の組合せが送達されるようにデバイスの機構を制御する。
【００１３】
個々の薬物化合物間の治療上の関係を規定することにより、本発明の送達デバイスは、患者／使用者が、多入力に関連する固有のリスクなしで、複数の薬物化合物のデバイスから最適の治療組合せ用量を受け入れることを確実にするのに役立つであろう。ここで、使用者がデバイスを使用する度に、正しい用量組合せを計算し、設定しなければならない。薬剤が流動可能であり、そして、その形体を変化させようとする力が作用したとき、定常速度で形体を変化させる本明細書で規定されるような液体又は気体などの流体であり得る。あるいは、薬剤の一つが、運ばれ、可溶化され、さもなければ、別の流体薬物と一緒に投薬される固体であってもよい。
【００１４】
本発明は、単回入力、及び関連する所定の治療プロファイルが、使用者の処方された用量を、使用者がデバイスを使用する度に計算する必要性を取り除くことになり、そして、単回入力は、かなり容易に、組合せ化合物の設定と投薬を可能にするので、器用さ又は計算の困難性を有する使用者に特に有利である。本発明は、また、針恐怖症を経験し、又は不注意な針突き刺しの一般的な恐怖を経験するかもしれない患者に対して特に有利である。
【００１５】
好ましい実施態様において、複数用量内に含まれるインスリンなどの、一次薬物化合物、使用者の選択可能な薬物送達デバイスは、単一用途で、使用者が代替可能な、二次薬剤の単回用量及び単回投薬インターフェースを含む薬用モジュールと一緒に使用できる。一次デバイスに連結したとき、二次化合物は、一次化合物の投薬のために、活性化され／送達される。本特許出願は、二つの可能性のある薬剤の組合せとして、具体的に、インスリン、インスリン類似体又はインスリン誘導体及びＧＬＰ−１又はＧＬＰ−１類似体を記載するが、鎮痛剤、ホルモン、β−アゴニスト又はコルチコステロイド若しくは上記薬物の組合せなどの、他の薬剤又は薬剤の組合せも、本発明と共に使用できるであろう。
【００１６】
本発明の目的のために、用語「インスリン」は、インスリン、インスリン類似体、インスリン誘導体、又はヒトインスリン若しくはヒトインスリン類似体若しくは誘導体を含むそれらの混合物を意味するものとする。インスリン類似体の実例は、制限なしで、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２９位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、又はＤｅｓ（Ｂ３０）ヒトインスリンである。ヒトインスリン誘導体の実例は、制限なしで、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００１７】
本明細書で用いる、用語「ＧＬＰ−１」は、ＧＬＰ−１、ＧＬＰ−１類似体、又はエキセナチド（エキセンジン−４（１−３９）ペプチド配列：Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2）；エキセンジン−３、リラグルチド、又はＡＶＥ００１０（Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｓｅｒ−Ｌｙｓ−Ｌｙｓ−Ｌｙｓ−Ｌｙｓ−Ｌｙｓ−Ｌｙｓ−ＮＨ2）を制限なしで含むその混合物を意味するものとする。
【００１８】
β−アゴニストの実例としては、制限なしで、サルブタモール、レボサルブタモール、テルブタリン、ピルブテロール、プロカテロール、メタプロテレノール、フェノテロール、メシル酸ビトルテロール、サルメテロール、ホルモテロール、バムブテロール、クレンブテロール、インダカテロールがある。
【００１９】
ホルモンは、例えば、ゴナドトロピン(ホリトロピン、ルトロピン、コリオンゴナドトロピン、メノトロピン)、ソマトロパイン (ソマトロピン)、デスモプレッシン、テルリプレッシン、ゴナドレリン、トリプトレリン、ロイプロレリン、ブセレリン、ナファレリン、ゴセレリンなどの脳下垂体ホルモン又は視床下部ホルモン又は規制活性ペプチド及びそれらの拮抗剤である。
【００２０】
一つの配置において、薬物送達デバイスに取り付け可能な薬用モジュールは、薬物送達デバイスに取り付けるように構成された連結ボディを含む。第一の針は、連結ボディの第一の針ハブ内に固定され、そして第二の針は連結ボディの第二の針ハブ内に固定される。連結ボディ内の凹部は、薬剤の少なくとも一回用量を含むリザーバを画成する。リザーバは、第一の針と流体連通になるように構成される。連結ボディは、更に、薬用モジュールが薬物送達デバイスに初めて連結され、そしてその後、取り外した後（用量の投与を伴い、又は投与なしで）、薬用モジュールを、同一の薬物送達デバイスに再連結されることを阻止するロッキング機能を含む。
【００２１】
更なる実施態様において、薬物送達デバイスに取り付け可能な薬用モジュールは、薬物送達デバイスに取り付けるように構成された連結ボディを含む。第一の針は、連結ボディの第一の針ハブ内に保持され、そして第二の針は、連結ボディの第二の針ハブ内に保持される。プライミング流体を含むベローズ（本明細書では、また、膜として参照される）は、第二の針と流体連通になるように構成される。
【００２２】
別の例において、出願者の概念は、機械的手段の使用を通して二つの薬物送達デバイス間で安全な用量分割（例えば、カートリッジの端部で必要とされる分割投与）を実施できる薬用モジュール用の連結手段を提供する。機械的手段は、新しい薬用モジュールをもう一方の新しい（即ち、未使用の）薬物送達デバイスに、又は以前に使用したものに嵌入することを可能にする。出願者の提案した概念の機械的手段は、また、以前に使用した薬用モジュールを新しい（即ち、未使用の）デバイスに嵌入することを可能にするが、以前に使用した薬物送達デバイスには嵌入できない。更に、二つの使用後、薬用モジュールは、更なる使用をロックし、そして阻止され得る。その結果、出願者の提案した概念に従った薬用モジュールは、（ｉ）二つの注射用の単回の薬物送達デバイス（使用者が、体積又は注射サイトの理由のために用量を分割することを必要とする状況下で、第二の注射は単回注射あり得る場合）又は（ｉｉ）二つの注射用の第一の薬物送達デバイス及び第二の新しい薬物送達デバイス（必要とされる用量の全てを送達ために、一つのデバイス内に十分残量していない場合、使用者変更可能の薬剤用量を、使用者が分割する必要がある場合）と一緒に使用してもよい。
【００２３】
本発明の特別の利点は、薬用モジュールが、必要なとき、特に、調節期間が特定薬剤に対して必要である場合に、投与レジメン（dose regime）を調整することが可能となることである。薬用モジュールは、調節を支援するために、特定の順番で、供給された薬用モジュールを使用することを患者に指示できるように、機能の美観設計、又はグラフィックス、番号付けなどの、それらに限定されないが、明確な差別化機能を有する多数の調節レベルで供給され得る。あるいは、処方医師は、患者に、多数の「レベル１」調節の薬用モジュール又はモジュールキットを提供し、そしてその後、これらが完了したとき、医師は次のレベル、又は次の薬物送達キットを処方するであろう。この調節プログラムの一つの重要な利点は、一次デバイスが常に一定であることである。
【００２４】
好ましい実施態様において、主薬物送達デバイスは、一回より多く使用され、従って、複数使用である。そのようなデバイスは、主薬物化合物の代替可能なリザーバを有してもよく、有さなくてもよいが、本発明は、両シナリオに対して同様に適用可能である。既に標準的な薬物送達デバイスを用いて患者に対して一回限りの追加の薬物として処方できる種々の条件に対する一連の異なった薬用モジュールを有することは可能である。患者が以前使用した薬用モジュールを再使用しようと試みるならば、今開示された薬用モジュールは、患者にこの状況を警告できるロックアウト可能な針ガード機能を提供する。使用者に警告する他の手段は、以下のいくつか（又は全て）を含んでもよい：
一度モジュールが使用されそして取り外されると、薬用モジュールの一次薬物送達デバイスへの再取り付けの物理的阻止。
使用済み薬物投薬インターフェースの患者への挿入の物理的阻止；
（例：単回使用の針ガードタイプの配置）
薬物投薬インターフェースを通して、それが使用済みのときの後続する液体流の物理的／水圧的阻止；
一次薬物送達デバイスの用量設定器、及び／又は、用量ボタンの物理的ロッキング；
可視的警告（例えば、挿入、及び／又は、流体流が発生したとき、モジュール上の表示窓内での色の変化、及び／又は、警告文／インディシア（indicia））；
触覚的フィードバック（次に使用するモジュールハブの外部表面上での触覚的特徴の有無）。
【００２５】
この実施態様の更なる機能は、それが使用者に任意のプライミング工程を提供するが、一方、また、後続の工程において、一つの注射針と一つの注射工程を経由して送達される両方の薬剤を提供する。これは、二つの別個の注射の投与と比較して、使用者工程の減少の観点より、使用者にとって都合のよい利点を提供する。この利点は、また、処方治療の改良したコンプライアンスを、特に、課題のある又は困難なプライミング工程を見出す患者に対して、又は注射を不愉快若しくは苦痛であると感じる患者の恐怖がある場合、又は計算上の、若しくは手先の困難性を抱えている患者に対してもたらす。
【００２６】
本発明の更なる態様は、個別の主包装体に保存されている二つの薬剤の送達方法を対象にする。薬剤が両者共液体であってもよく、あるいは、一つ又はそれ以上の薬剤が粉末、懸濁液又はスラリーであってもよい。一つの実施態様において、薬用モジュールは、それが薬用モジュールを通して注射されるとき、一次薬物中に溶解した、又は同伴した粉末薬物で充填できる。
【００２７】
本発明の更なる独立の態様は、薬物送達デバイスを含む薬物送達システムに関する。薬物送達デバイスは、用量設定機構、用量設定機構に連結したリザーバを含み、ここで、リザーバホルダの遠位端は、本明細書に記載される本発明に基づく薬用モジュールを取り付けられるように構成される。更に、システムはそのようなモジュールを含む。システムは、（ｉ）薬用モジュールの最初の使用を可能にし；（ｉｉ）薬用モジュールのその後の使用を可能にし、ここで薬用モジュールが薬物送達デバイスから取り外される前に、二回目の使用が起こり；及び（ｉｉｉ）薬用モジュールが除去されると直ちに、後続する薬用モジュールの使用が阻止されるように構成された機械的ロジック機能を含む。
【００２８】
更なる実施態様において、機械的ロジック機能は、更に、第一の薬用モジュールの使用を可能とした後、第一の薬用モジュールより異なった第二の薬用モジュールのその後の使用を阻止するように構成され得る。
【００２９】
別の実施態様において、機械的ロジック機能は、（ｉ）固定化アラインメント機能、及び（ｉｉ）複数のコード化機能を含み、ここで薬用モジュールの対応する機械的ロジック機能は、（ｉ）対応するアラインメント機能、及び（ｉｉ）薬物送達デバイスの機械的ロジック機能の複数のコード化機能のそれぞれに対応する少なくとも一つのコード化機能を含む。少なくとも一つの対応するコード化機能は、薬用モジュールの芯機構の外壁に配置してもよい。薬物送達デバイスの機械的ロジック機能の複数のコード化機能と対応するコード化機能の相互作用は、薬物送達デバイスの状態を未使用から使用済みに変化させるのに役立つ。
【００３０】
更なる実施態様において、本明細書に開示された本発明に基づく薬物送達システムは、機械的ロジック機能を含み、ここで、機械的ロジック機能の少なくとも一部は、本開示における発明に基づく薬物送達デバイスの一部である。
【００３１】
本発明の更なる独立の態様は、本開示の発明に基づく薬物送達デバイスに関する。
【００３２】
本発明の様々な態様のこれら並びにその他の利点は、添付の図面を適切に参照して、次の詳細な説明を読むことにより当業者に明確になるであろう。
【００３３】
本発明の範囲は、特許請求範囲の内容で規定される。本発明は特定の実施態様に制限されず、異なった実施態様のエレメントのいかなる組合せも含む。その上、本発明は特許請求範囲のいかなる組合せも、及び特許請求範囲で開示された機能のいかなる組合せも含む。
【００３４】
典型的実施態様は、図面を参照して本明細書で記載される：
【図面の簡単な説明】
【００３５】
【図１】薬物送達デバイスに取り付けできる薬用モジュールの一つの配置を図示する。
【図２】図１で図示された薬物送達デバイスに取り付けした薬用モジュールの断面図を図示する。
【図３】薬用モジュールが回転した後、図１で示す薬物送達デバイスに取り付けられた薬用モジュールの側面透視図を図示する。
【図４】薬物送達デバイスに連結した薬用モジュールの部分透視図を図示する。
【図５】薬物送達デバイスに連結した薬用モジュールの部分透視図を図示する。
【図６ａ】図１で図示された薬物送達デバイスに取り付けした薬用モジュールの透視断面図を図示する。
【図６ｂ】図１で図示された薬物送達デバイスに取り付けした薬用モジュールの別の透視断面図を図示し、ここで、針ガードは軸方向に動くことを阻止される。
【図６ｃ】図１で図示された薬物送達デバイスに取り付けした薬用モジュールの別の透視断面図を図示する。
【図７】薬物送達デバイスから除去された図６の薬用モジュールを図示する。
【図８】図１で図示された薬用モジュールと一緒に使用できる一つの可能性のある薬物送達デバイスを図示する。
【図９】ａは典型的な未使用の（即ち、新しい）医療送達デバイスの断面図を描写し、ｂは典型的な使用済み（即ち、トリガした）医療送達デバイスの断面図を描写し、ｃは典型的な未使用の（即ち、新しい）薬用モジュールの断面図を描写し、ｄは典型的な使用済み薬用モジュールの断面図を描写する。
【図１０】典型的な薬物送達の断面と典型的な薬用モジュールの断面の透視図を描写する。
【図１１】典型的な薬用モジュールに取り付けした典型的な薬物送達デバイスの断面図を描写する。
【図１２ａ】典型的な未使用の（即ち、新しい）医療送達デバイスと典型的な未使用の薬用モジュールの断面図を描写する。
【図１２ｂ】図１２ａの典型的な薬用モジュールに取り付けられた図１２ａの典型的な医療送達デバイスの断面図を描写する。
【図１２ｃ】図１２ａとｂの使用済み医療送達デバイスと典型的な使用済み薬用モジュールの断面図を描写する。
【図１２ｄ】典型的な新しい薬用モジュールに取り付けられた使用済み医療送達デバイスの断面図を描写する。
【図１３】典型的な新しい薬用モジュールに取り付けられた新しい医療送達デバイスの断面図を描写する。
【図１４ａ】例示の分割投与スキームを示すキー４００を描写する。
【図１４ｂ】図１４ａで示す例示の分割投与スキームを示すフローチャートである。
【図１５】図１４ａで示す例示の分割投与スキームを示す詳細なフローチャートである。
【図１６】部分的取り付け条件下での例示の薬用モジュールと例示の薬物送達デバイスの断面図である。
【図１７】後回転の戻り止め位置における図１で図示した薬用モジュールと薬物送達デバイスを図示する。
【発明を実施するための形態】
【００３６】
本特許出願は、第二の薬剤（二次薬物化合物）の固定された所定の用量及び第一の薬剤（一次薬物化合物）の変動可能用量を単回の排出口又は薬物投薬インターフェースを通して投与するためのシステムと方法を対象とする。使用者により一次薬剤の用量を設定することは、第二の薬剤の固定用量を自動的に決定することになる。第二の薬剤のこの固定用量は、好ましくは、単回用量である。好ましい配置において、薬物投薬インターフェースは、針カニューレ（中空針）を含む。システムは、薬用モジュールが薬物送達デバイスから連結を解除され、又は注射サイトから除去された後、ロックされ得る針ガードを含んでもよい。本出願は、また、使用者に、薬物送達デバイス内に含まれるプライミング流体で注射針をプライミングすることを可能にする。
【００３７】
図１は、薬用モジュール１０の好ましい配置を図示する。図１は、また、薬用モジュール１０に連結するように構成された薬物送達デバイスの遠位端を図示する。
【００３８】
薬用モジュール１０は、連結ボディ２４、第一の又は近位針４０、ロッキングリング５６、ベローズ配置５２、第二の又は遠位針８０、付勢エレメント７０及び針ガード９０を含む。
【００３９】
連結ボディ２４は、一般的に、シリンダ形状であり、そして近位端２６から遠位端２８へ伸びる。連結ボディの近位端において、薬用モジュールは、ラチェットタブ５０を備えている。これらのラチェットタブ５０は、内側で、下方に向いた面４９で構成され、その下方で、タブが底平坦面５１を含む。この構成は使用者に、カートリッジハウジング上に二回目に提供される爪で以ってこれらラチェットタブを再連結することを阻止するロックアウト機能として作用する。
【００４０】
内側で、連結ボディ２４は、第一の又は遠位内部部材３４及び第二の又は近位内部部材３７を規定する。第一の部材３４の最遠位部分において、薬用モジュール１０が、更に、リザーバ３６と第二の針８０の近位端の間の第一の内部部材３４に位置するベローズ配置５２を含む。このベローズ配置は、穿孔可能な材料から作られた変形可能なリザーバを含む。第一又は第二の薬剤のいずれかと長時間接触下で置かれるとき、幅広く不活性であり、そして浸出可能、及び／又は、抽出可能である観点より、良好な性質を提供する材料から製造することは、膜／ベローズにとって有益であるかもしれない。この用途に対する潜在的な材料は、ＴＰＥ（熱可塑性エラストマー）、液状シリコーンゴム（ＬＳＲ）及び天然ゴムを含むが、それに限定されない。低密度ポリエチレン（ＬＤＰＥ）又は直鎖状低密度ポリエチレン（ＬＬＤＰＥ）を含む更なる材料もまた可能性がある。改良されたバリヤ特性が望ましい場合、ラミネート材料、例えば、主膜材料（潜在的には上記の通り）にプラスして、ＰＶＣ（ポリ塩化ビニル）、ＰＣＴＦＥ（ポリクロロトリフルオロエチレン）又はアルミニウムのような材料の追加の薄層から成る多層材料を使用してもよい。使用材料の性質が、ある方法において、崩壊可能であることを要求されるであろう。これは、説明した可撓性材料に対して素晴らしいが、しかし、より剛性のある材料に対しては、ベローズデザインは、半剛性の構成部材の崩壊を可能とするために、一連のライブヒンジ（live hinge）を導入してもよい。好ましくは、ベローズ配置５２は、プライミング流体３８のリザーバを含む内部体積を画成する。最も好ましくは、このプライミング流体は、薬物送達デバイス内に含まれる一次薬剤と類似の薬剤のプライミング量を含む。
【００４１】
また、第一の部分３４は、第二の薬剤を含み、そしてこのベローズ配置５２に直接隣接するキャビティ又はリザーバ３６を規定するために形成される。好ましくは、このリザーバ３６は、第二の薬剤の単回用量を含む。より好ましくは、リザーバは、ＧＬＰ−１のような活性作用物質の用量を含む。
【００４２】
第一の内部部分３４は、付勢エレメント７０を保持するように構成される。連結ボディの遠位端は、この付勢エレメント７０で付勢される針ガード９０を備えている。図１で図示する通り、付勢エレメント７０は、延長状態にあり、そして第二の針８０をカバーするために針ガードを伸ばす。針ガード９０は、連結ボディ２４の遠位端の内壁面８８に摺動可能に連結する。
【００４３】
薬物送達デバイス１２に連結する前に、針ガードは、この延長位置にロックされ、そして近位方向に動くことを阻止する。好ましくは、両方の連結ボディ２４、ロッキングリング５６、及びカートリッジホルダは、針ガード９０が動くことを可能となる前に、全ての三つのスロットのアラインメント（alignment）を要求するためにアラインメントスロットを含む。
【００４４】
全ての三つのこれらのスロットのアラインメントが、図６ａ、６ｂ及び６ｃを参照してより詳細に記載する。幾つかの例において、薬用モジュール１０に取り付けできるようにするため、カートリッジホルダ１４は、ロッキングリング５６と回転的に心合わせ（alignment）されなければならない。このアラインメントは、針ガード９０と心合わせしたロッキングリング及びカートリッジホルダ１４により創造されるスロットを整列するために、内部ロッキングリング５６を回転させる能力を提供する。
【００４５】
図６ａ〜ｂで示す通り、カートリッジホルダ及びロッキングリングは、カートリッジホルダ１４上のリブ６１及びロッキングリング５６上のスプライン６３などのリブ及びスプラインを含んでもよい。カートリッジホルダのリブ／スプライン及びロッキングリングが心合わせされたとき、ロッキングリングは、ロッキングリング／カートリッジホルダにおけるスロットを針ガード９０と整列するように回転できる。図６ｂで示す通り、カートリッジホルダ１４を回転する前に、針ガード９０は、カートリッジホルダ１４上のリブ６１のために、軸方向に動くことを阻止される。しかし、図６ｃで示す通り、ロッキングリング５６及びカートリッジホルダ１４が回転すると直ちに、スロット６５は、針ガード９０が軸方向に後退し得るように針ガード９０と適切に整列する。デバイスを除去するためのこの回転を継続することは、同様の手法で再度針ガードをロックすることになることは、留意すべきである。
【００４６】
図１に戻って、針ガード９０が延長位置に留まる間、それは、患者が経験するかもしれないいかなる針の不安を低減するのに役立つために、実質的に使用者の視界から第二の針８０を隠す。第二の針を実質的に隠す間、針ガード９０は、また、不注意な針突き刺しを阻止するのに役立つ。以下により詳細に記載する通り、注射の前に、使用者は 、針ガードの近位運動を可能とするために、連結ボディ２４、ロッキングリング５６及びカートリッジホルダ１４上の様々なスロットの方向付けをする。その後、注射工程の間、針ガード９０は、近位方向に、又は薬物送達デバイスに向かって動くことが自由である（図１における矢印１１０で示される通り）。更にその上、針ガード９０は、使用者が決定する時間まで、薬物送達デバイスに連結するとき、又はプライミング若しくは注射工程の間、針ガード９０の回転を阻止するために、回転阻止体を含んでもよい。
【００４７】
連結ボディは、更に、第一の、又は近位針ハブ３２及び第二の、又は遠位針ハブ３３を含む。第一の針ハブは、リザーバ３６の近位端上に流体シールを提供するように位置する。第一の針４０は、第一の針ハブ３２に剛直的に保持される。好ましくは、この第一の針４０は、薬物送達デバイス１２内に含まれるカートリッジアセンブリ１６の膜２０を穿孔するために、第一の穿孔端４２（即ち、近位端）を含む。また、第一の針４０は、リザーバ３６と流体連通にある第二の端部４４（即ち、遠位端）を含み、その結果、二次薬剤３８は、その中に含まれる。  
【００４８】
第二の針８０は、第二の針ハブ３３に固定的に保持される。この第二の針８０は、ヒト注射サイトなどの注射サイトに貫入するために、針ガード９０において開口部（pass through）９３を通して軸方向に動くように、穿孔遠位端８２を含む。図１から分かる通り、第二の針８０の近位端８４は、ベローズ５２内に含まれるプライミング流体５３と流体連通にある。
【００４９】
連結ボディ２４の第二の、又は近位部分３７は、更に、ロッキングリング５６を含む。図１において、このロッキングリング５６は、連結ボディ２４の近位端２６近くの内部壁に沿ってねじ溝２７内に着座する（seated）ものとして図示される。図示する通り、ロッキングリング５６は第一の位置又は事前の連結位置に存在する。このロッキングリング５６は、薬用モジュール１０の近位端近くに位置するラチェットタブ５８を含む。ロッキングリングの近位端において、これらのラチェットタブ５８は、一般的に、平坦な最上面６０を有する。下記により詳細に議論する通り、これらのラチェットタブ５８は、薬用モジュール１０が薬物送達デバイス１２の遠位端に連結し、及び連結を解除されてもよいように、薬物送達デバイス１２のカートリッジハウジングの遠位端近くで提供される爪（pawl）と協動する。一つの特に好ましい配置において、このラチェットタブ及び爪配置は、延長した薬用モジュールを薬物送達デバイスに再取り付けることを阻止するロックアウト機能として作用する。これらのラチェットタブ５８は、再取り付けを阻止し得る。これらのラチェットタブは、上部の平坦部分及び下部の曲げられた部分を有する。ここで記載したように、他のタブと一致したとき、カートリッジホルダは、最上部のタブが、途中で爪の偏向を引き起こすように取り付けできる。カートリッジホルダを回転した後、このセットのタブは、軸方向に心合わせされ得ない。カートリッジホルダは、ロッキングリングの傾斜した下面に起因して、引き出すことができる。しかし、再取り付けの試みがなされる場合、上部のタブは爪を偏向させるが、ロッキングリングタブ上の第一の上面は、カートリッジホルダを更に、軸方向に走行することを阻止し、その結果、取り付けはしない。
【００５０】
薬用モジュール１０は、好ましくは、自給型であり、及びシールされ、及び殺菌された使い捨てモジュールとして提供される。図示されていないが、薬用モジュール１０は、保護及び殺菌カプセル又は容器に含まれ、製造業者より供給され得るが、ここで、使用者が殺菌された薬用モジュールに接近できるようにするため、シール又は容器それ自身をはがし、又は引き裂くであろう。幾つかの例において、薬用モジュールのそれぞれの端部のために、二つ又はそれ以上のシールを提供することは望ましいかもしれない。
【００５１】
この好ましい配置において、薬用モジュール１０は、ペン形薬物送達デバイスのような、薬物送達デバイス１２のカートリッジハウジング１４に除去可能に取り付けされ得る。そのような薬物送達デバイス１２の部分のみ、図１に図示される。そのような薬物送達デバイス１２は、図８に図示するペン形薬物送達デバイス１２を含むことができる。この薬物送達デバイス１２は、用量設定機構１に連結されたカートリッジハウジング１４を含む。カートリッジハウジング１４は、インスリンなどの一次薬剤を含む除去可能な、又は除去不能ないずれかのカートリッジアセンブリを含む。一次薬剤の用量を設定するために、両頭針のアセンブリは、カートリッジホルダ１４の遠位端４に連結される。その後、用量設定器８は、望ましい用量をうるために回転する。この設定用量を注射するために、用量ボタン６が前方に押される。
【００５２】
図１に戻って、薬物送達デバイス１２は、ラチェット爪配置１９をその遠端で含む。一つの配置において、このラチェット爪配置は、図８で図示するデバイス１２のカートリッジホルダ１４のように、カートリッジホルダの遠位端上に嵌合され（form fit）、又はスナップロックできる。あるいは、ラチェット爪配置１９は、カートリッジホルダ１４の一体化構成部材として製造してもよい。
【００５３】
カートリッジホルダ１４は、標準的なカートリッジアセンブリ１６のような薬物リザーバを含む。薬物送達デバイス１２が、再設定できる（例えば、ピストンロッドが再設定できるペン形デバイス）薬物送達デバイスを含むところでは、  カートリッジアセンブリ１６は、カートリッジホルダから除去でき、そして新鮮なカートリッジアセンブリで代替できる。あるいは、出願者の薬用モジュールと一緒に使用できる薬物送達デバイスは、使い捨てのデバイスを含んでもよい。  そのような使い捨てデバイスと一緒に、カートリッジアセンブリ１６は、使用者が除去可能ではなく、従って、完全な薬物送達デバイスは、デバイス中の一次薬剤が、一単回用量、又は複数の固定若しくは変動可能用量において消費されたとき廃棄される。
【００５４】
好ましくは、カートリッジアセンブリ１６は、一次薬剤１８を保持するためのリザーバを含む。そのような一次薬剤は、長期間作用型又は短時間作用型のインスリンなどのインスリンであってもよい。カートリッジアセンブリ１６は、更に、フェルール２２を経由して所定の位置に保持される穿孔可能な膜２０を含む。フェルール２２は、金属製のフェルール又は成形フェルールを含むことができる。
【００５５】
図２は、薬物送達デバイス１２に初めに連結された薬用モジュール１０の透視側面図を示す。薬用モジュール１０を薬物送達デバイス１２に連結するために、  カートリッジホルダ１４の遠位端が、連結ボディ２４の近位端２６内へ挿入される。挿入の間、ラチェットタブ２１の外側に曲げられた面２３は、初めに、連結ボディ２４におけるラチェットタブ５０の内側にそして下方に曲げられた面４９に沿って、そしてその後、その上に摺動する。これは、カートリッジホルダ１４のラチェット爪を、連結ボディ２４の内部空間に向かって、初めに、偏向を引き起こす。弾性的性質のため、これらラチェット爪２１は、図２に示す以前の定常状態に跳ね返る。
【００５６】
連結ボディのラチェットタブ５０は、その後それ自身をロッキングリング５６上に提供されるラチェットタブ５８と心合わせされるであろう。この相互連結は、薬物送達デバイス１２の遠位端と初期に、正しく心合わせした薬用モジュール１０を示す図２から分かるかもしれない。
【００５７】
薬用モジュール１０が、初めに薬物送達デバイス１２に連結するとき、第一の針４０の近位穿孔端４２は、カートリッジホルダ１６の膜２０を穿孔する。第一の針４０の第二の端部４４は、その後、リザーバ４６内に含まれる薬剤１８と流体連通するであろう。カートリッジアセンブリ１６に含まれる一次薬剤１８は、リザーバ４６に含まれる二次薬剤３８と流体連通するであろう。
【００５８】
図３は、図２に図示する薬用モジュール１０及び薬物送達デバイスの初期アラインメントの後の薬物送達デバイス１２のカートリッジホルダ上に薬用モジュール１０を取り付けるその後の工程を図示する。図３で図示する通り、カートリッジホルダ１４が、初期に、連結ボディ２４内に挿入された後、使用者又は他の医療提供者は、薬用モジュール１０を回転することを求められる。好ましくは、薬用モジュールは、反時計方向に回転しなければならず、そしてこの反時計方向は矢印１１２で図示される。
【００５９】
薬用モジュール１０は、方向１１２へ回転するので、薬用モジュールの運動は、連結ボディのラチェットタブ５０をカートリッジホルダ１４の凹面１７に沿って位置するねじ溝１５の周囲を回転することを引き起こす。そのようにして、連結ボディラチェットタブ５０の平坦底部分５１は、それがこのねじ溝１５内で延設する（run）ので、ロッキングリング５６の上部平坦面５９と、最早、心合わせされない。それは、連結ボディのラチェットタブとカートリッジホルダのねじ溝の相互作用を通して、カートリッジホルダを薬用モジュールに保持するこの心ずれである。
【００６０】
回転工程の後、ロッキングリング５６は、ロッキングリング５６の最上面の上部に位置するバイオネットねじ溝である連結ボディの垂直ねじ溝内に残留する。従って、図３において矢印１１２で表示されたこの回転工程の間、ロッキングリング５６は、カートリッジホルダ１４に対して静止状態に留まる。
【００６１】
図４及び図６ａ〜６ｃより分かるように、スロットは薬用モジュール１０の内面に沿って、ロッキングリングの内面に沿って、及びまた、カートリッジホルダの内面に沿って提供される。上記で議論した回転工程を完結した後、これら三つのスロットが心合わせされ、そしてこのアラインメントが図４に図示される。これらのスロットが心合わせされるとき、薬用モジュール１０の針ガード９０は、付勢部材７０により掛けられる力に対抗して、近位方向に動くことを可能にする。
【００６２】
好ましくは、インデント機能１１０は、ロッキングリング５６と薬用モジュール１０の連結ボディ２４の間に提供される。この方法において、方向１１４に回転する間、インデント機能１１０は、針ガード９０を上向き方向に動くこと、及び使用のために、カートリッジホルダ及びモジュールを一緒に保持することを可能にするように、薬用モジュール１０が十分回転したしたことを使用者に表示する。一つの好ましい配置において、インデント機能は、一度これらの機能が係合すると、薬用モジュールは、最早、図２で図示する通り、薬用モジュールを初期の未使用位置に戻すように反時計方向に回転できないようなランプ形状機能を含み得る。
【００６３】
ところで、図５に図示する薬用モジュール１０はプライミング状態にある。このプライミング状態において、薬用モジュール１０は、使用者にベローズ配置５２内に含まれるプライミング流体５３で薬用モジュールをプライミングすることを可能にする。このプライミング工程は、ダイヤル設定及び投与、及びカートリッジアセンブリ１６からの一次薬剤１８及びリザーバ３６内に含まれる二次薬剤３８の両方の注射の前に発生する。
【００６４】
以下に説明する通り、このプライミング位置において、第一の針４０は、リザーバ３６と流体係合し、そして第二の針８０は、ベローズ５２に含まれるプライミング流体５３と流体連通にある。
【００６５】
プライミング中、一次デバイスからの一次薬剤は、第二の薬剤を含むキャビティ内へ投薬される。これはベローズを圧縮させ、その結果、プライミング流体をベローズから第二の針８０を通して変位させる。このプライミング工程の終了時に、ベローズは第二針８０の穿孔近位端８４がベローズ５２の最上面を穿孔するように圧縮する。その後、これは適切な注射用量のために、二次薬剤３８と第二の針８０の間で流体連通を可能にする。
【００６６】
例において、ロッキングカラー及びカートリッジホルダは、後回転戻り止め位置に進入し得る。この後回転戻り止め位置は、図１７に図示する。薬物送達デバイスは、この戻り止め位置に進入した後、プライミングをしてもよい。しかし、他の例において、デバイスは、この位置で回転することなく、プライミングできる。デバイスがこの後回転戻り止め位置にあるとき、針ガードはロックを解除され、その結果、注射が可能となる。この後回転戻り止め位置に進入する前に、プライミングする場合、針ガードが、尚、ロックされているとき、使用者の注射を行う機会が減少するであろう。
【００６７】
薬物送達デバイス１２が用量設定器８を含むところでは、薬物送達デバイス１２の用量は、その後、通常の手法で用量設定器８（図８参照）を用いて設定し得る（例えば、適切なユニット数をダイヤル設定することにより）。薬剤３８の投薬は、その後、デバイス１２上の用量ボタンの起動を経由して薬剤を皮下注射することにより実施され得る。用量ボタン６は、用量設定器で設定された第一の薬剤の用量を、デバイスの遠位端に向かって遠位的に動かせるいかなるトリガ機構であってもよい。好ましい実施態様において、用量ボタンは、第一の薬剤の一次リザーバにおいてピストンを係合するスピンドルに操作可能に連結される。
【００６８】
注射後、薬物送達デバイス及び薬用モジュールは、注射サイトから除去され、  付勢エレメント７０の力の下で、針ガード９０は、遠位方向１１０に押し出される。使用後、及び針ガードが下方位置にあるとき、薬用モジュールは、図５において方向１１６で図示する通り、更に回転できる。薬用モジュール１０は、モジュール１０がカートリッジホルダ１４のバイオネットねじ溝１０２上の末端停止部１０４に到達するまで、別のインデント機能を通過して回転できる。それは、薬用モジュール１０が、今、カートリッジホルダから除去できるこの位置のみにある。
【００６９】
図７は、カートリッジホルダ１４の爪配置１９から使用済み薬用モジュール１０を図示する。薬用モジュール１０の除去したときに、ラッチェト爪２１上の曲げられた面２３は、内側の上方に曲げられた面６２とロッキングリング５６に沿って接触する。この相互作用は、その結果、爪をカートリッジハウジング１４からモジュールを除去することを可能にするために、内側に偏向させる。従って、図示する通り、使用者が使用済みの薬用モジュール１０を再取り付けしようと試みる場合、ロッキングリング５６上のラチェットタブ５８の平坦最上面５９は、爪２１をモジュール１０に再取り付けることを阻止し得る。
【００７０】
出願者のインターロッキング機能のそのような薬用モジュールとの使用は、多くの利点を提供する。第一に、そのようなインターロッキング機能は、使用者に、非殺菌の薬用モジュールを再使用することを阻止する（以前に除去した後、デバイスに再取り付けることを通して）。第二に、出願者の提案した爪デザインで以って、協動する爪受け入れ手段を有するある種のカートリッジハウジングのみが、そのような薬用モジュールと一緒に協動的に機能できる。これは、薬用モジュールと一緒に使用し得る薬剤のタイプを制限し、その結果、使用者に薬用モジュールのキャビティ内に含まれる薬剤と一緒に好ましくない薬剤を注射することを阻止する。また、出願者の提案した薬用モジュールで以って、ロックされた針ガードは、第二の針８０を保護し、そして実質的に第二の針８０を隠す。従って、ロックされた針ガードは、特に、介護者／医療専門家に対する潜在的な不注意な針突き刺しのリスクを低減させる。その上、ロックされた針ガードが実質的に第二の針８０を隠すので、ガードは、患者が経験するかもしれないいかなる潜在的な針不安、針恐怖症又は針心配事も減少するように作用する。
【００７１】
当該分野で公知の通り、薬物送達デバイスの使用者は、時には、要求された用量を二つの（又はそれより多くの）小用量に分割する。用量を分割することは、様々な理由のために実施できる。例えば、要求された又は望ましい用量は、大きすぎるかもしれない。用量は単回作用において送達するためのデバイス用としては大きすぎるかもしれない（例えば、所定のデバイスは、０．８ｍｌの最大のダイヤル設定可能体積を有するかもしれない）。用量はまた、注射サイト用として大きすぎて、用量を快適に収容できないかもしれない（例えば、ある状況において、医療専門家は、彼らの患者が、貯留又は非効率な吸収を防ぐために、用量を二つの異なったサイトに、０．４ｍｌ程度の、あるサイズに分割することを推薦する）。
【００７２】
用量を分割するための別の典型的な理由として、薬剤カートリッジの端部に近い使用者は、デバイスが不十分な残留体積を使用者の完全な用量のために残したことを決定し得る（例えば、使用者は、０．４ｍｌの用量体積を必要とするが、しかし、薬物送達デバイスは、その中で、０．３ｍｌのみ有する）。使用者は、（ｉ）薬剤のカートリッジの端部に近い「古い」デバイスから残留薬剤を取り、そしてその後、（ｉｉ）用量の残り部分を送達するために、代替デバイス（例えば、新しいデバイス）を取ることを選択してもよい。
【００７３】
用量を分割するための、尚、別の例として、使用者は、注射を通して途中まで不愉快を経験するかも知れず（例えば、恐らく、以前の注射からの傷跡組織内への注射のために）、そして使用者は、注入ストロークを止め、針を引き抜き、そして残留用量を送達するために第二のサイトを見つけることを選択してもよい。
【００７４】
薬物送達デバイスとシステムの文脈において、分割投与挙動は、殺菌性の事項と単一製品の使用事項のバランスを取るために必要であるかもしれない。殺菌性に関しては、かなりのパーセンテージの患者は針を再使用するが（ときには、複数回）、各々の注射は、増大する苦痛、炎症、及び／又は、敗血症を低減するために、理想的には殺菌針カニューレで以って実施すべきであろう。針カニューレを再使用するとき、そのような再使用は、好ましくは、初めての使用後、直ちに制限される。
【００７５】
単一製品の使用に関して、組み合わせで使用されることを意図した薬剤に対して、単一製品の使用（例えば、偶然に、又は意識して、構成化合物の一つのみを摂取すること）は、避けるべきである。単一製品の使用は、処置の治療の有効性を損ない、及び短期間のリスク（例えば、高血糖症）又は貧弱な疾病管理に関連した長期間のリスクを増大させる。
【００７６】
出願者の提案した概念は、制御された分割投与を可能にする。制御された分割投与は、分割投与のための必要性と、単一製品の使用及び殺菌性などの安全性事項とのバランスを取る安全な分割投与を可能にする。制御された分割投与のための出願者の提案した様々な概念は、所定の薬用モジュールを備えた分割投与工程を可能にするが、意識的な決定／理由なしでの薬用モジュールの更なる再使用を阻止する。更に、実施態様において、使用済み薬用モジュールは、以前に使用したデバイスを分割投与のために使用できない。出願者の提案した概念の一つに準拠した制御された分割投与が、以下に詳細に議論される。
【００７７】
例において、出願者の概念は、機械的手段の使用を通して二つの薬物送達デバイスの間で安全な用量分割（例えば、カートリッジの端部で必要とされる分割投与）を可能にする薬用モジュール用の連結手段を提供する。機械的手段は、新しい薬用モジュールを、新しい（即ち、未使用の）薬物送達デバイス、又は以前に使用した薬物送達デバイスのいずれかに嵌合させることを可能にする。出願者の提案した概念の機械的手段は、また、以前に使用した薬用モジュールを新しい（即ち、未使用の）デバイスに嵌合することを可能にするが、しかし、以前に使用した薬物送達デバイスには嵌合しない。更に、複数の使用（例えば、二つの使用）の後、薬用モジュールがロックされてもよく、そして更なる使用を阻止する。  それ故、出願者の提案した概念に準拠する薬用モジュールは、（ｉ）二つの注射のための単回薬物送達デバイス、又は（ｉｉ）二つの注射に対する第一の新しい薬物送達デバイス及び第二の新しい薬物送達デバイスと一緒に使用してもよい。
【００７８】
具体的に、第一の例において、単回薬物送達デバイスは、二次薬剤及び一次薬剤の両方、並びに、一次薬剤のみを含む第二の用量を含む第一の用量を送達するために使用してもよい。更に、第二の例において、薬用モジュールは、二次薬剤と一次薬剤の両方を含む第一の用量を送達するために、第一の薬物送達デバイスと一緒に使用してもよく、そして薬用モジュールは、その後、一次薬剤のみを含む用量を送達するために、新しい（即ち、未使用の）第二の薬物送達デバイスと一緒に使用してもよい。どちらか一方の例において、二つの用量を送達するために使用した後、薬用モジュールはロックアウトし、そしてその後の第三の送達のために使用することは阻止される。
【００７９】
図１４ａ及び１４ｂは、上記で議論した分割投与を可視的に表現する図である。特に、図１４ａは、出願者の提案した概念の分割投与スキームを図示するキー４００を示す。キー４００で示す通り、新しい薬用モジュールは、（ｉ）新しい薬物送達デバイス（即ち、未使用の薬物送達デバイス）又は（ｉｉ）少なくとも一回使用した薬物送達デバイス（使用済みデバイス）のいずれかと使用してもよい。加えて、キー４００で示す通り、一回使用したことのある薬用モジュールは、新しい薬物送達デバイスと一緒に使用してもよい。しかし、一回使用したことのある薬用モジュールは、一回使用したことのある薬物送達デバイスと一緒に使用できない。
【００８０】
図１４ｂは、図１４ａで示され、及び上記で議論したこの分割投与スキームを更に明確化するフローチャートである。図１４ｂは、薬用モジュール４０２、第一の薬物送達デバイス４０４及び第二の薬物送達デバイス４０６を示す。工程４０８において、新しい薬用モジュール４０２は、第一の薬物送達デバイス４０４に連結し得る。工程４１０において、使用者は第一の用量を送達してもよく、それは、第一の薬物送達デバイスからの一次薬剤及び薬用モジュール４０２からの二次薬剤を含んでもよい。工程４１０の後、使用者は分割用量を投与してもよい。  分割用量を投与するために、使用者は、（ｉ）第二の用量を第一の薬物送達デバイス４０４から送達するために薬用モジュール４０２を使用してもよく、又は、（ｉｉ）薬用モジュール４０２を新しい又は第二の薬物送達デバイス４０６に取り付けしてもよい。あるいは、分割用量を投与するよりむしろ、使用者は工程４１０の後、薬用モジュールのみを廃棄してもよい。
【００８１】
使用者が第一の薬物送達デバイス４０４から第二の用量を送達するために薬用モジュール４０２を使用することを選択する場合、使用者は工程４１２において第二の用量を送達し得る。二次薬剤が、工程４１０の第一の投与の間、薬用モジュールから放出するかもしれないので、この第二の用量は、一次薬剤の用量になるであろう。図１４ｂで示す通り、この薬用モジュール４０２からの第三の送達は阻止される（例えば、薬用モジュールがロックアウトされるかもしれないからである）。薬用モジュールは、別の薬物送達デバイスと一緒に使用できるであろう。従って、使用者は工程４１４で薬用モジュールを除去してもよく、そしてその後、薬用モジュール４０２を廃棄してもよい。第三の送達は、二つの使用後にトリガする薬用モジュールにおけるロックアウト機能を通して、などの様々な方法で阻止し得る。その結果、使用者は薬物送達デバイス４０４から薬用モジュール４０２
を除去し得る。
【００８２】
しかし、使用者が薬用モジュールを新しい、又は第二の薬物送達デバイスに取り付けることを選択する場合、使用者は、工程４１６において、薬用モジュール４０２を薬物送達デバイス４０６に取り付けしてもよい。一回使用した薬用モジュール４０２は、新しい（即ち、未使用の）薬物送達デバイスに取り付けしてもよいが、しかし、１回又はそれ以上使用した薬物送達デバイスには取り付けできない。工程４１８において、使用者は、薬用モジュール４０２で送達される第二の用量となる用量を送達し得る。二次薬剤は、工程４１０の第一の投与の間、薬用モジュールから放出するかもしれないので、この第二の用量は、薬物送達デバイス４０６内に含まれる一次薬剤の用量であろう。図１４ｂで示す通り、この薬用モジュールからの第三の送達は阻止される。従って、使用者は工程４２０において薬用モジュールを除去してもよく、その後、薬用モジュール４０２を廃棄してもよい。
【００８３】
例の分割投与スキームのより詳細なロジックフローチャートが図１５に描写される。このロジックフローチャートは、三つの一次ステージ４３０、４３２ａ及び４３２ｂを描写する。第一の分割投与スキームにおいて、使用者はステージ４３０及び４３２ａを行う。第二の分割投与スキームにおいて、使用者はステージ４３０及び４３２ｂを実施し得る。これらは、図１４ｂを参照して上記で説明したステージであるが、しかし、ステージは、図１５を参照して若干詳細に説明する。明確にするために、同一の薬用モジュールが図を通して示されるが、薬用モジュール４０２は、（ｉ）使用する前の薬用モジュール４０２ａ、（ｉｉ）一使用後の薬用モジュール４０２ｂ、及び（ｉｉｉ）二使用後の薬用モジュール４０２ｃとして記載される。
【００８４】
ステージ４３０は、第一の用量を送達するために薬用モジュール４０２を薬物送達デバイス４０４と一緒に使用することを含む。使用者は、その後、第二の用量を送達するために薬用モジュール４０２を使用してもよく、そしてこれは、同一の、一回使用した薬物送達デバイス４０４、又は新しい、未使用の薬物送達デバイス４０６のいずれかと一緒に送達し得る。その結果、ステージ４３０の後、使用者はステージ４３２ａ又はステージ４３２ｂのいずれかに進行させてもよい。特に、ステージ４３２ａは、第二の用量を送達するために、薬用モジュール４０２を薬物送達デバイス４０４と一緒に使用することを含む。更に、ステージ４３２ｂは、第二の用量を送達するために、薬用モジュール４０２を、新しい、未使用の薬物送達デバイス４０６と一緒に使用することを含む。
【００８５】
ステージ４３０において、使用者は、工程４３４で薬用モジュール４０２ａを薬物送達デバイス４０４に嵌合し得る。薬用モジュール４０２ａを薬物送達デバイス４０４に嵌合した後、薬物送達デバイスの状態は、「一回使用した」状態に変化し得る。デバイスの状態は、例えば、機械的ロジックを通して変化し得る。そのような機械的ロジックの特別な例は、下記に議論するであろう。一般的に、この状態の変化は、薬用モジュール４０２の薬物送達デバイスへの取り付けから、薬物送達デバイスから薬用モジュール４０２の除去の間のいかなる点においても発生し得る。
【００８６】
図１５に戻って、使用者はその後、工程４３６において用量をダイヤル設定し得る。次に、使用者は工程４３８において、注射サイト内へ薬用モジュール４０２ａの針カニューレを挿入し得る。この工程の間、薬用モジュールの針ガード又はカバーは後退してもよい。このポイントにおいて、薬用モジュール４０２ａは、その状態を「一回使用した」状態（例えば、機械的ロジックを通して）に変化することをトリガする。上記の通り、この「一回使用した」状態は、図１５において、薬用モジュール４０２ｂとして描写される。幾つかの例において、針ガードの後退は、それが目的通り「使用された」ことを推測するよりむしろ、用量送達が実際に発生するかどうかに関係なく、薬用モジュールの状態は、変化するであろう。更に、幾つかの例において、薬用モジュール４０２は、薬用モジュールが一回使用されたことを示す可視的な表示器を含んでもよい。工程４４０において、使用者は、その後、第一の用量を送達してもよい。この用量は、薬物送達デバイスからの一次薬剤及び薬用モジュールからの二次薬剤の両方を含むであろう。
【００８７】
上記の通り、使用者は、その後、（ｉ）同一の薬物送達デバイスを用いて分割用量を投与し（即ち、工程４３２ａ）、又は（ｉｉ）異なった薬物送達デバイスを用いて分割用量を投与すること（即ち、ステージ４３２ｂ）の、いずれかへ進行してもよい。ステージ４３２ａにおいて、使用者は、ステージ４４２において、第二の用量をダイヤル設定してもよく、そしてその後、工程４４４において、注射サイト内に、薬用モジュール４０２ｂの針カニューレを挿入してもよい。再度、この工程の間、薬用モジュールの針ガード又はカバーは、後退してもよい。この点において、薬用モジュール４０２ｂは、その状態を「二回使用」状態に変化することをトリガする（機械的ロジックを通して）。上記の通り、この「二回使用」状態は、図１５において、薬用モジュール４３２ｃとして示される。幾つかの例において、薬用モジュールは、薬用モジュールが二回使用されたことを示す可視的表示器を含んでもよい。使用者は、その後、工程４４６において第二の用量を送達してもよい。この第二の用量は、薬物送達デバイスから一次薬剤のみを含むであろう、何故ならば、二次薬剤は、工程４４０において薬用モジュールから一掃されたからである。この第二の用量の後、薬用モジュール４０２ｃは、更なる使用からロックアウトされ得る。そして使用者は、その後、工程４４８において、薬用モジュールを薬物送達デバイス４０４から除去し、そして薬用モジュール４０２ｃを廃棄してもよい。
【００８８】
ステージ４３２ｂにおいて、工程４５０で、使用者は薬物送達デバイス４０２ｂを新しい薬物送達デバイス４０６へ取り付けしてもよい。薬用モジュール４０２ｂが薬物送達デバイス４０６に嵌合した後、薬物送達デバイスの状態は、「一回使用」した状態に変化し得る（例えば、機械的ロジックを通して）。この状態の変化は、薬用モジュール４０２ｂの除去のために、薬用モジュール４０２ｂの嵌合の間のいかなる点で起こってもよい。使用者は、工程４５２において第二の用量をダイヤル設定し、そしてその後、工程４５２において、注射サイト内に、薬用モジュール４０２ｂの針カニューレを挿入してもよい。再度、この工程において、薬用モジュールの針ガード又はカバーは、後退してもよい。この点において、薬用モジュール４０２ｂは、その状態を「二回使用」状態に変化することをトリガする（機械的ロジックを通して）。上記の通り、この「二回使用」状態は、図１５において、薬用モジュール４３２ｃとして描写される。幾つかの例において、薬用モジュールは、薬用モジュールが二回使用されたことを示す可視的表示器を含んでもよい。使用者は、その後、工程４５６において第二の用量を送達してもよい。この第二の用量は、薬物送達デバイスから一次薬剤のみを含むであろう、何故ならば、二次薬剤は、工程４４０において薬用モジュールから一掃されたからである。この第二の用量の後、薬用モジュール４０２ｃは、更なる使用からロックアウトされ得る。そして使用者は、その後、工程４４８において、薬用モジュールを薬物送達デバイス４０６から除去し、そして薬用モジュール４０２ｃを廃棄してもよい。
【００８９】
従って、安全な分割投与を容易にする出願者の提案したシステムにおいて、薬用モジュール上の機械的ロジックは、薬用モジュールを薬物送達デバイス用に二回より多く使用することを阻止する。更に、薬物送達デバイス上の機械的ロジックは、使用済み薬物送達デバイスを使用済み薬用モジュールに取り付けることを阻止する（しかし、新しい薬物送達デバイスを一回使用の薬用モジュールに取り付けることを可能にする）。
【００９０】
幾つかの例において、薬物送達デバイス及び／又は薬用モジュールは、デバイス又はモジュールの状態（例えば、新しい、一回使用、二回使用）を識別するのに役立つ可視的表示器を含んでもよい。例えば、緑色の可視的表示器は、薬用モジュールが新しいことを示すことに役立つかもしれず、黄色の可視的表示器は、薬用モジュールが一回使用であることを示すことに役立つかもしれず、赤色の可視的表示器は、薬用モジュールが二回使用されたことを示すことに役立つかもしれない。
【００９１】
実施態様において、機械的手段又はロジックは、薬物送達デバイス上に保護用のオーバキャップを嵌合するために、使用後、患者が薬物送達デバイスから薬用モジュールを強制的に除去することを前提とする。都合よいことには、使用後、保護用のオーバキャップを嵌合するために、患者にデバイスから針を強制的に除去させることは、単一製品の使用（偶然に又は意図的にのどちらか）を軽減するのに役立つ。
【００９２】
図１〜７を参照して記載したインターロックデザインは、新しいデバイスに一回使用の薬用モジュールを嵌合することを可能にする（即ち、分割投与シナリオ用として）挿入をトリガする薬物送達デバイス上に存在するインターロック機能と連動して使用できるであろう。
【００９３】
表示する通り、薬用モジュール及び薬物送達デバイスは、上記で詳しく示された、これらの安全で制御された投与スキームを容易にする機械的ロジックを含んでもよい。そのような機械的ロジックの特別の例は、図９〜１３及び１６で示される。安全で制御された分割投与を容易にする異なった機械的ロジックの他の例も同様に可能である。そのような機械的ロジックの一例が、図９〜１１を参照して記載される。この例において、薬物送達デバイス（例えば、注射ペン）及び薬用モジュールの両方は、トリガ時に回転する捻じりばね付きシリンダを含む。一般的に、この例において、薬物送達デバイスは、新しい薬用モジュールがデバイスに取り付けるときトリガする。幾つかの例において、薬物送達デバイスは、薬用モジュールがデバイスから除去されるとき、回転し、そしてこの回転は、薬物送達デバイスが薬用モジュールと一緒に使用したことを追跡するのに役立つ。更に、薬用モジュールは、モジュールが薬物送達デバイスに取り付けるとき、初めてトリガする。必要な／制御された嵌合はスロットとデバイス及びモジュールのラグの配置に起因する。
【００９４】
出願者の提案した機械的ロジックの例は、図９に示される。図９ａは、未使用の（即ち、新しい）薬物送達デバイスの機械的ロジック機能２００の断面図を描写し、一方図９ｂは、使用済み薬物送達デバイスの機械的ロジック機能２０１（例えば、一回使用した薬物送達デバイスの機械的ロジック機能２００（即ち、取り付けし、そしてその後、薬用モジュールから除去した））の断面図を描写する。図９ｃは未使用の（即ち、新しい）薬用モジュールの機械的ロジック機能２０２の断面図を描写し、一方、図９ｄは、トリガした薬用モジュールの機械的ロジック機能２０３の断面図を描写する（即ち、一回使用した薬用モジュール２０２（即ち、取り付けし、その後、送達デバイスから除去された））。これらの例において、薬用モジュールは、更に、薬用ロジックを二回より多く使用することを阻止する機能を含み得る。例えば、薬用モジュールは、モジュールが二回使用した後、薬用モジュールをロックするロックアウト機能を含み得る。このロックアウト機能は、薬用モジュールが薬物送達デバイスに取り付けられたかどうかを追跡する記載した機械的ロジック機能と分離しているか、又は一体化してもよい。
【００９５】
図９ａを参照して、薬物送達デバイスの機械的ロジック機能２００は、固定されたアラインメント機能と複数のコード化機能を含み、そして、薬用モジュールの機械的ロジック機能２０２は、対応する固定されたアラインメント機能及び複数のコード化機能を含む。薬物送達デバイスの機械的ロジック機能のコード化機能及び薬用モジュールの機械的ロジック機能のコード化機能は、互いに逆である。そのようにして、コード化機能はいかなる形態も取り得る。例えば、薬物送達デバイスの機械的ロジック機能のコード化機能は、スロットを含んでもよく、一方、薬用モジュールの機械的ロジック機能のコード化機能は、ラグを含んでもよい。この特別の例において、薬物送達デバイスの機械的ロジック機能２００は、固定されたアラインメント機能２０４、スロット２０６、スロット２０８及びスロット２１０を含む。この例におけるスロットは、半円形の窪みである。しかし、他タイプのスロット／機能の規定も同様に可能である。薬用モジュールの機械的ロジック機能２０２は、対応する固定されたアラインメント機能２１２、ラグ２１４及びラグ２１６を含む。薬物送達デバイスの機械的ロジック機能及び薬用モジュールの機械的ロジック機能のアラインメント機能は、二つの主機能を有する。第一に、それらは、設定方法を継続するためにのみ、デバイスと薬用針の間で一次位置／アラインメント機能を提供し得る。第二に、第一の機能と連携して、アラインメント機能は、それらが正しく位置付けされ、そして結果として取り付けシステムのロジックを制御できるように、スロット機能／コード化機能のためのデータである。ラグは、薬物送達デバイスのスロットを補足する半円形の突出部である。それらはデバイス上の機能の逆である限り、いかなるデザインであってもよい。これらの機能のセットは、それらが不正確な配向で取り付けられることを阻止するために十分なジオメトリを有するように設計される。
【００９６】
この例において、薬用モジュールの機械的ロジック機能２０２は、薬物送達デバイスの機械的ロジック機能２００が有するスロットより少ないラグを有する。以下から分かる通り、ラグ並びにスロットの位置及び数の差異は、使用済み薬用モジュールを使用済み薬物送達デバイスに取り付けることを阻止するが、使用済み薬用モジュールを新しい薬物送達デバイスに取り付けることを可能にする機械的ロジック機能を提供する。なお、幾つかの例において、薬用モジュールの機械的ロジック機能及び薬物送達デバイスの機械的ロジック機能は、それぞれ同数のラグとスロットを含む。そのような例において、それぞれのスロットとラグは、使用済み薬用モジュールを使用済み薬物送達デバイスに取り付けることを阻止するが、使用済み薬用モジュールを新しい薬物送達デバイスに取り付けることを可能にする機械的ロジックを提供することを可能とする。
【００９７】
図９ａで示すＸ−Ｙ軸２１８を参照して、薬物送達デバイスが未使用のとき、スロット２０６は、９０°に向けられ、スロット２０８は、０°に向けられ、そしてスロット２１０は、２７０°に向く。薬用モジュールの機械的ロジック機能２０２が未使用のとき、ラグ２１４は、９０°に向けられ、そしてラグ２１６は０°に向く。このように、矢印２２０で表示する通り、新しい薬用モジュールの機械的ロジック機能２０２は、新しい薬物送達デバイスの機械的ロジック機能２００に取り付けできる。ラグとスロットのそれぞれの位置に起因して、使用者が薬物送達デバイスの機械的ロジック機能２００及び薬用モジュールの機械的ロジック機能２０２を取り付けることを試みるとき、ラグの機能とスロット機能は、取り付けを可能にするために互いにかみ合う（mesh）ことができる。
【００９８】
新しい薬用モジュールの機械的ロジック機能２０２が新しい薬物送達デバイスの機械的ロジック機能２００に取り付けられるとき、薬物送達デバイスの機械的ロジック機能２００はトリガされる。上記の通り、薬物送達デバイス及び薬用モジュールの両方は、スロット／ラグの機能に取り付けられ／結合され／一体化された捻じりばね付きシリンダを含み、それらはトリガした後に回転する。更に、薬用モジュールの機械的ロジック機能２０２は、それが薬物送達デバイスの機械的ロジック機能２００内に挿入されると初めてトリガされ、そして薬物送達デバイスの機械的ロジック機能は、薬用モジュールの機械的ロジック機能がそれに取り付けられると初めてトリガされる。捻じりばね付きシリンダに作用する例のスプリングは、図１６に描写される。
【００９９】
図１６は、部分的に取り付けられた条件下で、例示の薬用モジュール５００と例示の薬物送達デバイス５０２の断面図を示す。薬用モジュール５００及び薬物送達デバイス５０２は、図９の機械的ロジック機能２００及び２０２と類似の機械的ロジック機能を含んでもよい。この例において、薬用モジュール５００は、機械的ロジック機能５０４を含むコアエレメント５０６を含む。このコアエレメント５０６は、回転が可能なシリンダ状エレメントであってもよい。更に、薬物送達デバイス５０２は、機械的ロジック機能５０８を含むコアエレメント５１０を含む。コアエレメント５０６に類似して、コアエレメント５１０は、回転可能なシリンダエレメントであってもよい。これらの機械的ロジック機能５０４、５０８は、図９を参照して議論した機械的ロジック機能と類似の機械的ロジックを提供するスプラインスロット及びラグを有するシリンダエレメントの形体を取る。更に、薬用モジュール５００は、また、ロッド５１２及びクラッチプレート５１５を含む。薬物送達デバイス５０２は、また、同様に、ロッド５１６及びクラッチプレート５１８を含む。薬用モジュール５００は、また、例えば、コアエレメント５０６とロッド５１２の間に位置し得る捻じりばねを含んでもよい。更に、薬物送達デバイスは、例えば、コアエレメント５１０とロッド５１６の間に位置し得る捻じりばねを含んでもよい。使用中、これらの様々な機能は、図１４〜１５に関して上記で議論した機械的ロジックを提供するために、互いに相互作用する。
【０１００】
薬用モジュールと薬物送達デバイスの外部連結体は、クリップ機能５２６及び５２８のような相互取り付け機能を用いて、互いに連結されてもよい。これらの取り付け機能はクリップ機能として示されるが、他の取り付け機能も同様に可能である。機械的ロジック機能５０４を含むコア機構部分５０６の回転は、捻じりばね５２０の作用の元で発生し得るが、一方、機械的ロジック機能５０８を含むコア機構部分５１０の回転は、捻じりばね５２２の作用の元で発生し得る。
【０１０１】
薬用モジュールの５００において、コアエレメント５０６は、一時的に、クラッチプレート５１５上のクラッチ歯５３２に係合するクラッチ歯５３０により回転することを阻止される。同様に、コアエレメント５１０は、一時的に、クラッチプレート５１８上のクラッチ歯５３６に係合するクラッチ歯５３４により回転することを阻止される。コアエレメント５０６は、ロッド５１２上の機能に恒久的に軸方向に拘束され、そしてコアエレメント５１０は、ロッド５１６上の機能に恒久的に軸方向に拘束される。クラッチプレート５１５は、恒久的に回転が拘束され、そして一時的に、軸方向で位置５４０に拘束される。更に、クラッチプレート５１８は、恒久的に回転が拘束され、そして一時的に、軸方向で位置５５２に拘束される。
【０１０２】
取り付け中、コアエレメント５０６の突出近位機能５４４は、コアエレメント５１０の穴５４６を通して通過する。同様に、コアエレメント５１０の突出遠位機能５４８は、コアエレメント５０６の穴５５０を通して通過する。取り付け中、突出近位機能５４４は、位置５５２から位置５５４へクラッチプレート５１８を押し出し、そして突出遠位機能５４８は、位置５４０から位置５４２へクラッチプレート５１５を押し出す。クラッチプレートのこの変位は、恒久的変位である。即ち、薬用モジュールと薬物送達デバイスの機械的機能は、クラッチプレートをこれらの最終位置から、通常の操作で動かないであろう。
【０１０３】
クラッチプレート５１８上の機能Ｃは、薬用モジュール及びデバイスが分離するときのみ、コアエレメント５０６及び５１０が、スプリングからの捻じれ負荷の下で、軸に対して回転するように、コアエレメント５０６及び５１０をインターロックする（一つのスプリングが、一方向に回転することを望み、他方は他の方向に回転することを望むので、これは、一旦クラッチが解除されたスプリング間での「戦う(battle)」力を防ぐ）。回転は、デバイス及び薬用モジュールが、トリガリング／使用を登録するような状態における恒久的変化である。機能Ｃは二つの機能を有するクラッチプレート５１８における凹部である。第一に、それらは、突出機能（５４４、５４８）がクラッチプレートを押し、一つの位置から次の位置へクラッチプレートを動かす点である。第二に、クラッチプレートを動かせた凹部であるが、突出機能は、デバイスと薬用モジュールが分離するまでコアエレメントが回転できないように突出機能は、尚、係合している。これらの二次回転防止機能が存在しなければ、コアエレメントは、デバイスが分離する前に、互いに回転しようとするであろう。基本用語において、それは、彼らがペダルを踏む間、誰かのバイクの車輪に棒を置くことと類似している。一度棒が除去されると、車輪は回転できる。そのようにして、この例において、特定のエレメントは、デバイスが分離するまで回転を阻止される。図９に関して上記で議論した通り、薬物送達デバイスの機械的ロジック機能の回転は、薬物送達デバイスが薬用モジュールに連結する回数の表示（又は、より一般的には、薬物送達デバイスが新しいか、又は使用済みかの表示）を提供する。また、薬用モジュールの機械的機能の回転は、薬用モジュールが薬物送達デバイスに取り付けられる回数の表示（又は、より一般的には、薬用モジュールが新しいか、又は使用済みかの表示）を提供する。コアエレメント５０６と５１０の回転は、尚、軸方向に拘束されているが、新しい薬用モジュール及びトリガされた／使用済みの薬用モジュールの両方は、新しい／未使用のデバイスをトリガすることができることを意味することを上記から認識するべきであろう。
【０１０４】
図９に戻って、薬物送達デバイスの機械的ロジック機能２００がトリガされたとき、捻じりばね付きシリンダは、矢印２２２で示す反時計方向に９０°回転する。それ故、薬物送達デバイスがトリガした後、スロット２０６は、１８０°に向けられ、スロット２０８は９０°に向けられ、スロット２１０は０°に向けられる。更に、薬用モジュールの機械的ロジック機能２０２がトリガされたとき、捻じりばね付きシリンダは、矢印２２４で示す反時計方向に９０°回転する。このように、薬用モジュールの機械的ロジック機能２０２がトリガした後、ラグ２１４は０°に向けられ、ラグ２１６は２７０°に向けられる。新しい薬物送達デバイスの機械的ロジック機能２００に取り付ける前の新しい薬用モジュールの機械的ロジック機能２０２上のコード化機能の透視典型図を図１０に示す。
【０１０５】
矢印２２６で示す通り、新しい薬用モジュールの機械的ロジック機能２０２は、トリガされた薬物送達デバイスの機械的ロジック機能２０１に取り付けできる。ラグ及びスロット及び固定されたアラインメント機能のそれぞれの位置に起因して、新しい薬用モジュールの機械的ロジック機能２０２及びトリガされた薬物送達デバイス２０１は、互いにかみ合うことができる。更に、矢印２２８で示す通り、トリガされた薬用モジュールの機械的ロジック機能２０３は、新しい薬物送達デバイスの機械的ロジック機能２００に取り付けできる。ラグ及びスロット及び固定されたアラインメント機能のそれぞれの位置に起因して、トリガされた薬用モジュールの機械的ロジック機能２０３及び新しい薬物送達デバイスの機械的ロジック機能２００は、互いにかみ合うことができる。しかし、トリガされた薬用モジュールの機械的ロジック機能２０３は、トリガされた薬物送達デバイスの機械的ロジック機能２０１に取り付けできない。ラグ及びスロット及び固定されたアラインメント機能のそれぞれの位置に起因して、トリガされた薬用モジュール２０３は、トリガされた薬物送達デバイス２０１にかみ合わない。その結果、図９〜１１の典型的なモジュール及びデバイスの機械的ロジックは、機械的に、使用済みの薬用モジュールを使用済みの薬物送達デバイスと一緒に使用することを阻止する。
【０１０６】
更に、図９〜１１の典型的なモジュールは、二回使用された薬用モジュールを、新しい又は使用済みの薬物送達デバイスと一緒に使用することを阻止するように構成され得る。上記の通り、薬用モジュールは、例えば、二回使用後、薬用モジュールをロックするロックアウト機能含み得る。そのようなロックアウト機構は、使用者が二回より多くの注射用の薬用モジュールを使用することを阻止する針ガードロックアウト機構を含む。二回使用済みの薬用モジュールは、尚、新しいペン（しかし、図９〜１１で説明した機構のため、使用済みペンではない）に、取り付けできるが、しかし使用者は、針ガードが延長した位置でロックされるので、用量を注射することができない。
【０１０７】
図９〜１１は、薬物送達デバイスがスロットを有する機械的ロジック機能を含み、そして薬用モジュールがラグを有する機械的ロジック機能を含むことを描写するが、反対も、また、可能である（即ち、薬用モジュールがスロットを含み、一方、薬物送達デバイスはラグを含む）ことは、理解すべきである。更に、図９〜１０に図示するスロットとラグの数及びスロットとラグの位置は、例としてのみを目的とする。異なった数のスロットとラグも可能であることは理解すべきである。更に、異なった位置のスロットとラグも可能であることは理解すべきである。尚、更に、薬用モジュール及び／又は薬物送達デバイスがトリガされた後の回転の量も、また、他の例では変化するかもしれない（例えば、１０°、１５°、４５°、６０°など）ことは理解すべきである。
【０１０８】
出願者の提案した機械的ロジックの別の例は、図１２〜１３で示す。一般的に、この例において、薬物送達デバイス及び薬用モジュールの両者は、閉鎖して、及び開放してそれぞれ保持されるセグメントに分割されたアニュラス（annulus）を有する。トリガされたとき、薬物送達デバイスのアニュラスは、外側にはじかれ（spring）、そして、薬用モジュールのアニュラスは内側にはじかれる。具体的には、薬物送達デバイスのアニュラスは、三つの位置を有し、一方、薬用モジュールのアニュラスは、二つの位置を有する。薬物送達デバイスの位置は、（ｉ）第一の、はじかれていない位置、（ｉｉ）第二の、はじかれるが、挿入された位置、及び（ｉｉｉ）第三の、はじかれた位置（モジュールから）を含む。薬用モジュールの位置は、新しい、はじかれていない位置及び第二のはじかれた位置を含む。
【０１０９】
薬用モジュールの本体は、面取り部分と平坦部分を含む。新しい薬用モジュールを新しい薬物送達デバイスに嵌合中、モジュール及びデバイスの両方の上にある脆弱エレメントは、破裂し／壊れる。この破壊は、アニュラスの直径が第二及び第三の位置へ成長させ、又は収縮させる。アニュラスのサイズは、正しい嵌合ロジックを与えるサイズになっている。変更するアニュラスの結果として、新しい薬用モジュールは、新しい薬物送達デバイスに、及び使用済みの薬物送達デバイスに取り付けできる。しかし、使用済みの薬用モジュールは、新しい薬物送達デバイスに取り付けできるが、使用済みの薬物送達デバイスに取り付けできない。
【０１１０】
図１２ａ〜１２ｄは、この例に準拠した薬用モジュール及び薬物送達デバイスの様々な位置を図示する。具体的には、図１２ａは、新しい薬用モジュール３０２に取り付ける前の新しい薬物送達デバイス３００を図示する。図１２ａにおいて、薬物送達デバイスのアニュラスは、その第一の位置にあり、そして薬用モジュールのアニュラスは、その第一の位置にある。薬物送達デバイス３００は、停止機能３０４を含む。デバイス３００は、また、スプリング３０８及び脆弱エレメント３１０を連結する本体機能３０６を含む。図１２ａで示す通り、脆弱エレメント３１０は均一である。換言すれば、脆弱エレメントは、未だ壊れていない。脆弱エレメントは、アニュラスの主本体と同じ材料の局在化した薄いセクションであってもよく、そしてアニュラスの部分として一体化（即ち成形される）されることは、最もあり得る。材料はいかなる射出成形可能なポリマーであってもよい。
【０１１１】
薬用モジュール３０２は、平坦部分３２０及び面取り部分３２２を含む。窪み３２３は、平坦部分と面取り部分の間に位置する。更に、図１３で示す通り、薬用モジュール３０２は、脆弱エレメント３２４〜３２９を含む。この例において、モジュール３０２は、六つの脆弱エレメントを含む。しかし、多少の壊れやすい／伸長可能なエレメントも可能であることは、理解すべきであろう。
【０１１２】
薬物送達デバイスのアニュラスの第一、第二及び第三の位置は、点３１２、３１４及び３１６をそれぞれ参照して本明細書で記載されるであろう。具体的に、アニュラスが第一の位置にあるとき、本体機能は点３１２と心合わせされ、アニュラスが第二の位置にあるとき、本体機能は点３１４と心合わせされ、及びアニュラスが第三の位置にあるとき、本体機能は点３１６と心合わせされる。薬物送達デバイスのアニュラスのサイズは、アニュラスがどの位置にあるかに依存して動的である（即ち、変化する）ことを理解されるべきである。更に、アニュラスの位置は、薬物送達デバイスが以前に使用されたか否かに依存する。薬用モジュールのアニュラスの位置は、点３３０を参照して本明細書で記載されるであろう。薬用モジュールのアニュラスが第一の位置にあるとき、窪み３２３は点３３０と心合わせされる。しかし、記載し、示されたこれらのアラインメントは、例としてのみを目的とすることは理解すべきであろう。様々な位置は、異なって規定されてもよい（例えば、異なった参照点と心合わせする異なったエレメントにより）。
【０１１３】
図１２ａに戻って、新しい薬物送達デバイス３００及び新しいモジュール３０２（各々は、第一の位置においてそれぞれのアニュラスを有する）は、互いに取り付けされ得る。モジュール及びデバイスを取り付けるとき、面取りセクション３２２の傾斜面３３２は、薬物送達デバイスの本体機能の傾斜面３３４と相互作用する。この相互作用は、薬物送達デバイスの脆弱エレメント３１０を強制的に破壊し、又は伸長する。その後、スプリング３０８は、本体機能３０６を半径方向の外側に強制的に動かす。その間、モジュール及びデバイスの相互作用は、モジュール３０２の壊れやすい又は後退可能なエレメント３２４〜３２９を破壊又は後退させる。具体的には、相互作用は、面取りセクション３２２を強制的に内側に動かし、そしてこれは、脆弱エレメント３２４〜３２９を効果的に粉砕させる。その結果、モジュールのアニュラスは収縮する。更に、ばね付きバンド３４０は、薬用モジュールをこの収縮した第二の位置に留まるように付勢する。
【０１１４】
図１２ｂは、そのアニュラスが第二の延長した位置にあり、そして薬用モジュールが第二の収縮した位置にあるとき薬物送達デバイスを示す。具体的には、本体機能３０６は、参照点３１４と心合わせされ、そして平坦部分３２０は、参照点３３０と心合わせされる。とりわけ、スプリングは、本体機能３０６を第三の位置へ押し込まない。何故ならば、デバイスがモジュール内に挿入されるとき、平坦部分３２０は、本体機構３０６を第三の位置へ跳ね返ることを阻止する。特に、平坦部分の側面（即ち、凹部の側面）は、デバイス機能を更に動かすことを阻止する。それは凹部内にあることにより制約される。
【０１１５】
薬物送達デバイス３００が薬用モジュール３０２から除去されるとき、スプリング３０８は、本体機能が停止機能３０４により、更なる半径方向の動きを停止するまで、本体機能３０６を外側に押し込む。これは第三の位置であり、そして本体機能３０６は、参照点３１６と心合わせされる。図１２ｃは、使用済み薬物送達デバイス３００及び使用済み薬用モジュール３０２を示す。図から分かる通り、使用済みモジュール及び使用済みデバイスは、最早、互いに取り付けできない。使用者が二つを取り付けしようと試みる場合、本体機能は平坦部分３２０に延設し、そしてその結果、窪み３２３に挿入できなくなるであろう。
【０１１６】
しかし、新しい薬用モジュールは、使用済みの薬物送達デバイス３００に取り付けできる。この例は、図１２ｄ及び図１３で示される。具体的には、新しい薬用モジュール３０２は、使用済みの薬物送達デバイス３００に取り付けできる。示す通り、使用済み薬物送達デバイスのアニュラスは、第三の位置にあり、そして、新しい薬用モジュールのアニュラスは、第一の位置にある。具体的には、窪み３２３は、参照点３３０と心合わせされる。薬物送達デバイスの傾斜面は、薬用モジュールの傾斜面を、図１２ａ及び１２ｂを参照して記載した方法と同様の手法で相互作用する。その結果、使用済みデバイス及び新しいモジュールは、互いに取り付けされ得る。デバイス機能は、その第三の位置にあるので、新しい針が取り付けられると、それは、デバイスの凹部への挿入時に、位置１から位置２へ完全に動かないであろう。デバイスの除去時のみ、薬用モジュール機能は、図１２ｃで示す通りの位置への途中の残り（スプリングバンドの力の元で）を動かし、その結果、更なる取り付けを阻止する。
【０１１７】
本明細書で記載した配置において、第二の薬剤は、粉末固体状態、二次リザーバ又はマイクロカプセル内に含まれ、又は薬物投薬インターフェースの内面にコートされたいかなる流体状態のいずれであってもよい。薬剤の固体形体の大きい濃度は、低濃度を有する液体より小さい体積を占める利点がある。これは、順に、薬用モジュールの目減り量を減少させる。付加的な利点は、第二の薬剤の固体形体が、潜在的に薬剤の液体形体より二次リザーバにより直接的にシールされることである。デバイスは、投与中、第一の薬剤により溶解される第二の薬剤を有する好ましい実施態様と同様の手法で使用してもよい。
【０１１８】
薬用モジュールの形体は、円筒本体、又は流体リザーバを画成するために、若しくは二次薬剤の個別の自給型リザーバを含むために、及び一つ若しくはそれ以上の針カニューレを取り付けるために好適なその他いかなるジオメトリ形体であってもよい。薬用モジュールは、ガラス又はその他薬剤接触に好適な材料から製造することができる。一体化された注射針は、皮下又は筋肉内注射に好適ないかなる針カニューレであってもよい。
【０１１９】
好ましくは、薬用モジュールは、自立型及び殺菌性を保持するためにシールされた個別のデバイスとして製造者より提供される。モジュールの殺菌シールは、好ましくは、薬用モジュールが使用者により前進し又は取り付けられるとき、例えば、切断、引き裂き又は引き剥がしにより自動的に開くように設計される。シールのこの開口は、モジュールの内側の注射デバイス又は機能の端部上の曲がった面などの機能により支援され得る。
【０１２０】
本明細書で記載した薬用モジュールは、図８で図示したものと類似の注射デバイス、好ましくは、ペン形複数用量注射デバイスと連携して操作するように設計すべきである。注射デバイスは、再使用可能又は使い捨てデバイスであり得る。使い捨てデバイスというのは、薬剤を事前充填し、そして初期薬剤を使い切った後、新しい薬剤が再充填できない、製造者から得られた注射デバイスを意味する。デバイスは、固定用量又は設定可能用量であってもよく、しかし、いずれかの場合、それは複数用量デバイスである。
【０１２１】
一般的な薬物送達デバイスは、カートリッジ又は薬物の他のリザーバを含む。このカートリッジは、一般的には、円筒形状であり、そして、普通は、ガラスで作られる。カートリッジは、一端をゴム栓で、そして他端は、ゴムセプタムでシールされる。注射ペンは、複数の注射を送達するように設計される。送達機構は、一般に使用者の手動作用で動力を受けるが、しかし、注射機構は、また、スプリング、圧縮ガス又は電気エネルギなどの他の手段で動力を受けてもよい。
【０１２２】
薬用モジュールが薬物の単回用量を含むある実施態様において、モジュールは、患者にリザーバ中の単回用量を投与するために、薬物送達デバイスに取り付けられる。換言すれば、薬用モジュールは、自立型注射デバイスとして使用できない。これは、モジュールが用量送達機構を有せず、その代わりに、それが取り付けられる薬物送達デバイスに含まれる用量送達機構に依存するためである。
【０１２３】
出願者の提案した機械的ロジックは、薬用モジュールに関して、主として議論されたが、機械的ロジックは、また、標準的な針又は安全針タイプのアセンブリに適用してもよいことは理解すべきであろう。標準的な針アセンブリに適用した場合、機械的ロジックは、それがデバイスから外されたとき、使用者が針を全て再使用すること（再取り付けを阻止することにより）を阻止してもよく、又はそれを同じデバイスに戻すことを阻止できる。後半の状況においては、概念は、針ガードのような制限された注射システム（即ち、安全針タイプのアセンブリ）と一体になることが最良であろう。さもなければ、使用者は標準針を新しいデバイスに置き、そしてその後、それを複数回使用できる。
【０１２４】
本発明の典型的な実施態様が記載された。しかし、当業者なら、変化及び改変は、特許請求範囲で規定された本発明の真の範囲及び精神から離れることなく、これらの実施態様に実施してもいいことを理解するであろう。
【図１】
2013542796.tif 000003
【図２】
2013542796.tif 000004
【図３】
2013542796.tif 000005
【図４】
2013542796.tif 000006
【図５】
2013542796.tif 000007
【図６ａ】
2013542796.tif 000008
【図６ｂ】
2013542796.tif 000009
【図６ｃ】
2013542796.tif 000010
【図７】
2013542796.tif 000011
【図８】
2013542796.tif 000012
【図９】
2013542796.tif 000013
【図１０】
2013542796.tif 000014
【図１１】
2013542796.tif 000015
【図１２ａ】
2013542796.tif 000016
【図１２ｂ】
2013542796.tif 000017
【図１２ｃ】
2013542796.tif 000018
【図１２ｄ】
2013542796.tif 000019
【図１３】
2013542796.tif 000020
【図１４ａ】
2013542796.tif 000021
【図１４ｂ】
2013542796.tif 000022
【図１５】
2013542796.tif 000023
【図１６】
2013542796.tif 000024
【図１７】
2013542796.tif 000025
【国際調査報告】
2013542796.tif 000026
2013542796.tif 000027